(57)【要約】【課題】  調律対象音の基準音の周波数設定が容易であり、かつ、調律対象音と基準音とのピッチ誤差を同楽器の演奏者に直接知らせることができる調律装置付電子楽器を提供する。【解決手段】  調律対象音のピッチ誤差の測定の際の基準となる基準音の周波数は、鍵盤ＫＢの押鍵操作により指定される。調律対象音は、マイクロフォン１５により収音される。筐体２０の背面１０には、大型表示器１１が設けられており、これがマイクロフォン１５より収音された調律対象音と基準音とのピッチ誤差を表示する。【選択図】図１
2007193156.tif 000002
【特許請求の範囲】
【請求項１】
発音すべき基準音を指定する複数の鍵を有する鍵盤と、
前記鍵盤の操作により指定された基準音を発生する楽音発生手段と、
外界の音を収音する収音手段と、
前記収音手段により収音された調律対象音の前記鍵盤の操作により指定された基準音に対するピッチ誤差を測定する測定手段と、
当該調律装置付電子楽器の筐体の背面に設けられ、前記測定手段により測定されたピッチ誤差を表示する大型表示部と
を具備することを特徴とする調律装置付電子楽器。
【請求項２】
前記大型表示部を前記筐体の背面に対して回動自在または着脱自在に取り付けてなることを特徴とする請求項１に記載の調律装置付電子楽器。
【請求項３】
前記測定手段は、前記収音手段により収音された複数の調律対象音の前記鍵盤の操作により指定された複数の基準音に対するピッチ誤差を各々測定し、
前記大型表示部は、複数の調律対象音のピッチ誤差を対比して表示することを特徴とする請求項１または２に記載の調律装置付電子楽器。
【請求項４】
前記複数の調律対象音の音色を各々指定する音色指定手段を具備し、
前記測定手段は、前記音色指定手段により指定された複数の音色に各々対応した複数の調律対象音の各成分を前記収音手段により収音される音から各々抽出する抽出手段と、前記抽出手段により抽出された複数の調律対象音の各成分に基づき各調律対象音の各基準音に対するピッチ誤差を各々測定するピッチ誤差測定手段とを具備することを特徴とする請求項３に記載の調律装置付電子楽器。
【請求項５】
前記複数の基準音の音色を各々指定する音色指定手段を具備し、
前記楽音発生手段は、前記音色指定手段により指定された音色の複数の基準音を発生し、
前記測定手段は、前記音色指定手段により指定された複数の音色に各々対応した複数の調律対象音の各成分を前記収音手段により収音される音から各々抽出する抽出手段と、前記抽出手段により抽出された複数の調律対象音の各成分に基づき各調律対象音の各基準音に対するピッチ誤差を各々測定するピッチ誤差測定手段とを具備することを特徴とする請求項３に記載の調律装置付電子楽器。
【請求項６】
前記音色指定手段は、複数の音色を予め指定する手段を有し、前記鍵盤の操作により複数の基準音が順次指定されるとき、予め指定された複数の音色の中から音色を順次選択し、各基準音の音色として指定することを特徴とする請求項５に記載の調律装置付電子楽器。
【発明の詳細な説明】
【技術分野】
【０００１】
この発明は、合奏等の演奏練習における調律に好適な調律装置付電子楽器に関する。
【背景技術】
【０００２】
この種の調律装置付電子楽器として、例えば特許文献１に開示されたものがある。この調律装置付電子楽器は、鍵盤電子楽器に調律機能を付加した構成となっている。この調律装置付電子楽器において、所望の音高を指定する鍵が押下されると、その音高を有する基準音が放音される。調律対象楽器の演奏者が、この基準音を聴いて楽器演奏を行うと、調律装置付電子楽器では、その楽器演奏音がマイクロフォンにより収音され、同楽器演奏音の周波数の基準音に対するピッチ誤差が求められ、表示部に表示される。この調律装置付電子楽器は、押鍵という簡単な操作により基準音の周波数設定および調律すべき音高の演奏者への告知を行うことができるという利点がある。
【特許文献１】特公平６−４０２６２号公報
【非特許文献１】「楽器の音響学」安藤由典著、音楽之友社、ｐ．５４〜６４、昭和４６年１０月３０日発行
【発明の開示】
【発明が解決しようとする課題】
【０００３】
ところで、これまでに提案されている調律装置付電子楽器は、上記特許文献１に開示されているものを含め、調律対象である楽器の演奏者にピッチ誤差の発生状況を効果的に知らせる手段を有していない。このため、調律装置付電子楽器の演奏者が表示部から読み取ったピッチ誤差の発生状況を調律対象である楽器の演奏者に知らせなければならず、非効率的であるという問題がある。現在提供されている単体の調律装置の中には大型の表示部を備えたものもある。しかし、このような単体の調律装置は、押鍵により基準音の周波数を設定することができないので操作が面倒である。
【０００４】
この発明は、以上説明した事情に鑑みてなされたものであり、調律対象音の基準音の周波数設定が容易であり、かつ、調律対象音と基準音とのピッチ誤差を同楽器の演奏者に効果的に知らせることができる調律装置付電子楽器を提供することを目的としている。
【課題を解決するための手段】
【０００５】
この発明は、発音すべき基準音を指定する複数の鍵を有する鍵盤と、前記鍵盤の操作により指定された基準音を発生する楽音発生手段と、外界の音を収音する収音手段と、前記収音手段により収音された調律対象音の前記鍵盤の操作により指定された基準音に対するピッチ誤差を測定する測定手段と、当該調律装置付電子楽器の筐体の背面に設けられ、前記測定手段により測定されたピッチ誤差を表示する大型表示部とを具備することを特徴とする調律装置付電子楽器を提供する。
かかる発明によれば、鍵盤の操作により、調律対象音の基準音の周波数設定を容易に行うことができ、かつ、大型表示部により調律対象音と基準音とのピッチ誤差を楽器演奏者に効果的に知らせることができる
好ましい態様において、前記大型表示部は前記筐体の背面に対して回動自在または着脱自在に取り付けられる。この態様は、大型表示部の向きを楽器演奏者の位置に合わせて適切に調整することができる利点がある。
好ましい態様において、前記測定手段は、前記収音手段により収音された複数の調律対象音の前記鍵盤の操作により指定された複数の基準音に対するピッチ誤差を各々測定し、前記大型表示部は、複数の調律対象音のピッチ誤差を対比して表示する。
この態様によれば、複数の調律対象音の発生元である楽器の演奏者は、楽器の放音に先立って、調律装置付電子楽器から放音される各基準音およびハーモニーを予め聴いて確認することができ、さらに各自の楽器の放音による各調律対象音の基準音に対する誤差および自分と他の楽器演奏音のハーモニーの状態を大型表示部により確認することができる。
好ましい態様において、調律装置付電子楽器は、前記複数の調律対象音の音色を各々指定する音色指定手段を具備し、前記測定手段は、前記音色指定手段により指定された複数の音色に各々対応した複数の調律対象音の各成分を前記収音手段により収音される音から各々抽出する抽出手段と、前記抽出手段により抽出された複数の調律対象音の各成分に基づき各調律対象音の各基準音に対するピッチ誤差を各々測定するピッチ誤差測定手段とを具備する。
この態様によれば、複数の調律対象音が混ざり合って収音される状況でも、各調律対象音の音色を手掛かりとして、各調律対象音のピッチ誤差を正確に測定することができる。
他の好ましい態様において、調律装置付電子楽器は、前記複数の基準音の音色を各々指定する音色指定手段を具備し、前記楽音発生手段は、前記音色指定手段により指定された音色の複数の基準音を発生し、前記測定手段は、前記音色指定手段により指定された複数の音色に各々対応した複数の調律対象音の各成分を前記収音手段により収音される音から各々抽出する抽出手段と、前記抽出手段により抽出された複数の調律対象音の各成分に基づき各調律対象音の各基準音に対するピッチ誤差を各々測定するピッチ誤差測定手段とを具備する。
この態様では、和音の構成音の調律を行う場合において調律対象音と同じ音色の基準音を予め発生させ、それに応じて放音される各調律対象音のピッチ誤差を測定することができる。その際、複数の調律対象音が混ざり合って収音される状況でも、各調律対象音の音色を手掛かりとして、各調律対象音のピッチ誤差を正確に測定することができる。
好ましい態様において、前記音色指定手段は、複数の音色を予め指定する手段を有し、前記鍵盤の操作により複数の基準音が順次指定されるとき、予め指定された複数の音色の中から音色を順次選択し、各基準音の音色として指定する。
この態様は、複数の基準音およびこれに対応した複数の調律対象音の音色を簡単な操作により設定することができるという利点がある。
【発明を実施するための最良の形態】
【０００６】
以下、図面を参照し、この発明の実施の形態を説明する。
図１（ａ）はこの発明の一実施形態である調律装置付電子楽器の上面の構成を示す平面図、同図（ｂ）は同調律装置付電子楽器の背面１０の構成を示す背面図である。図１（ａ）に示すように、調律装置付電子楽器は、通常の鍵盤電子楽器と同様な鍵盤ＫＢを有している。この鍵盤ＫＢの左側にはスピーカ１が設けられており、鍵盤ＫＢの上方には、各種の情報を表示するためのＬＣＤ（Liquid Crystal Display）パネル２が設けられている。
【０００７】
このＬＣＤパネル２の左側には、フルート、トランペット等、各種の音色を指定する複数の音色指定スイッチ３と、この調律装置付電子楽器の動作モードの切り換えを指示するモード切り換えスイッチ４と、４個の基準音指定スイッチ５−ｋ（ｋ＝１〜４）が設けられている。なお、基準音指定スイッチ５−ｋ（ｋ＝１〜４）の役割については後述する。
【０００８】
一方、ＬＣＤパネル２の右側には、各種の増減操作に使用されるカーソルスイッチ５−ｕおよび５−ｄと、基準ピッチであるＡ音の周波数（デフォルト値は４４０Ｈｚ）の調整の際に操作される基準ピッチ指定スイッチ６と、音律の指定に用いられる音律指定スイッチ７と、Ｃ、Ｃ＃、Ｄ、Ｄ＃、…、ＢとＡＵＴＯからなる各音律における調を指定するための調指定スイッチ８と、平均律に対して各鍵の周波数をシフトさせる際に平均律のままシフトさせない基準となる音を、ＲＯＯＴ、Ａ、Ｂｂの中から指定するシフト基準音指定スイッチ９とが設けられている。
【０００９】
この調律装置付電子楽器は、動作モードとして演奏モードと調律モードを有している。演奏モードは、通常の鍵盤電子楽器と同様、鍵盤ＫＢの操作に応じて楽音を形成し、スピーカ１から放音する動作モードである。調律モードは、所望の音高を有する基準音をスピーカ１から放音するとともに、これに応じて調律対象である楽器から出力される楽音（調律対象音）を収音し、調律対象音と基準音とのピッチ誤差を求める動作モードである。この調律モードにおいて、鍵盤ＫＢは基準音のキーコードを指定する手段としての役割を果たす。演奏モードおよび調律モードにおいて、鍵盤ＫＢの押鍵操作に応じて放音する楽音の周波数の決定方法は、次の通りである。
【００１０】
＜楽音の周波数の決定方法＞
ａ．調指定スイッチ８によりＡＵＴＯ以外のＣ、Ｃ＃、Ｄ、Ｄ＃、…、Ｂのいずれかが指定されている場合
この場合、基準ピッチ指定スイッチ６の操作により指定された基準ピッチと、音律指定スイッチ７の操作により指定された音律と、調指定スイッチ８の操作により指定された調と、シフト基準音指定スイッチ９により指定されたシフト基準音と、押鍵された鍵のキーコードとに基づいて、放音する楽音の周波数が演算される。
【００１１】
ｂ．調指定スイッチ８によりＡＵＴＯが指定されている場合
この場合、基準ピッチ指定スイッチ６の操作により指定された基準ピッチと、音律指定スイッチ７の操作により指定された音律と、３つ以上の鍵が同時に押鍵された場合の各鍵のキーコードに基づいて自動判定される調と、押鍵された鍵のキーコードとに基づいて、放音する楽音の周波数が演算される。同時に３つ以上の鍵の押鍵が行われない場合には、直前の自動判定により求められた調が楽音の周波数の演算に採用される。
【００１２】
このようにして決定された楽音の周波数は、スピーカ１から放音する楽音の周波数となるのみならず、調律対象である楽器から出力される楽音（調律対象音）のピッチ誤差を求める際の基準となる基音周波数としての役割を果たす。
【００１３】
この調律装置付電子楽器において行う調律は、幾つかの特徴を有する。第１の特徴は、音高の異なった複数の基準音からなる和音をスピーカ１から放音し、これに応じて複数の調律対象楽器から出力される複数の調律対象音のうち最大４個までの調律対象音を同時に収音し、調律対象音毎に各々に対応した基準音とのピッチ誤差を求めることができるという点にある。調律モードでは、和音を構成する４個の基準音を、どの鍵も押鍵されていない状態から鍵が押された順に第１基準音、第２基準音、第３基準音、第４基準音として決定する。５つめからは調律の対象音としない。
【００１４】
第２の特徴は、上述した基準音指定スイッチ５−ｋ（ｋ＝１〜４）の操作により、基準音および調律対象音の音色を設定することが可能な点である。本実施形態では、第ｋ基準音を指定する基準音指定スイッチ５−ｋをＯＮとし、これに続いて、所望の楽器に対応した音色指定スイッチ３をＯＮにすることにより、その音色指定スイッチ３に対応した音色が第ｋ基準音を放音するときの音色として設定される。同時に、この第ｋ基準音の音色は第ｋ基準音の放音に応じて調律対象楽器から放音される調律対象音の音色と解釈される。そして、調律装置付電子楽器では、この解釈に従って、調律対象音のピッチ誤差を求めるための処理が行われるのである。基準音指定スイッチ５−ｋ（ｋ＝１〜４）と音色指定スイッチ３は、基準音の音色を指定する手段を構成すると同時に、この基準音に応じて放音されるべき調律対象音の音色を指定する手段を構成している。
【００１５】
第３の特徴は、以下説明する調律結果の表示手段にある。図１（ｂ）に示すように、この調律装置付電子楽器の筐体２０の背面１０には、その殆どの領域を利用して、調律結果を表示するための大型表示器１１が設けられている。この大型表示器１１は、水平方向に並んだ複数のＬＥＤ１２からなるＬＥＤラインを上下方向に４ライン並べた構成となっている。これら４本のＬＥＤラインは、下から順に、第１基準音に応じて出力された調律対象音のピッチ誤差、第２基準音に応じて出力された調律対象音のピッチ誤差、第３基準音に応じて出力された調律対象音のピッチ誤差、第４基準音に応じて出力された調律対象音のピッチ誤差を表示する役割を果たす。
【００１６】
各ＬＥＤラインにおいてＬＥＤ１２は等間隔で並んでおり、また、ＬＥＤラインにおける各ＬＥＤ１２の水平方向における各位置は各ＬＥＤライン間で揃っている。大型表示器１１の上辺中央に設けられたマーカ１３ａと下辺中央に設けられたマーカ１３ｂは、各々の間に、４本のＬＥＤラインの中央の４個のＬＥＤ１２を挟んでいる。このマーカ１３ａおよび１３ｂ間のＬＥＤ１２は、調律対象音と基準音とのピッチ誤差が０セントである場合に点灯する。そして、調律対象音のピッチが基準音のピッチよりも５セント高いと、その右隣のＬＥＤ１２が点灯し、さらに５セント高いとさらにその右隣のＬＥＤ１２が点灯し、という具合に、点灯するＬＥＤ１２は順次右にシフトする。逆に調律対象音のピッチが基準音のピッチより５セント低いと、マーカ１３ａおよび１３ｂ間のＬＥＤ１２の左隣のＬＥＤ１２が点灯し、さらに５セント低いとさらにその左隣のＬＥＤ１２が点灯し、という具合に、点灯するＬＥＤ１２は順次左にシフトする。このように４本のＬＥＤラインは、各々の水平方向におけるＬＥＤ点灯位置により、第１基準音〜第４基準音の各々を基準とした各調律対象音のピッチ誤差を対比して示すものである。
【００１７】
マーカ１３ａおよび１３ｂは、視認性を良くするために、ＬＥＤにより構成してもよい。その際、ＬＥＤ１２は例えば緑色で点灯させ、マーカ１３ａおよび１３ｂは赤色で点灯させる、という具合にＬＥＤ１２とマーカ１３ａおよび１３ｂとで点灯色を変えてもよい。また、ピッチ誤差が０セントである場合に点灯するＬＥＤとそれ以外のＬＥＤとで点灯色を変えてもよい。これによりピッチ誤差が０セントで一致したときの視認性が良くなる。
【００１８】
大型表示器１１の左隣には、ＬＣＤパネル１４が設けられている。このＬＣＤパネル１４は、調律時、下から順に第１基準音〜第４基準音の各々の音色（すなわち、調律対象音の各音色）とキーコードを表示する。図示の例では、第１基準音の音色・Ｔｂ（トロンボーン）およびキーコード・Ｃ４、第２基準音の音色・Ｔｐ（トランペット）およびキーコード・Ｅ４、第３基準音の音色・Ｈｒ（第１ホルン）およびキーコード・Ｇ４、第４基準音の音色・Ｈｒ（第２ホルン）およびキーコード・Ｂ４が表示されている。大型表示器１１の左側には、マイクロフォン１５が設けられている。調律対象音は、このマイクロフォン１５により収音される。
【００１９】
図２はこの調律装置付電子楽器の電気的構成を示すブロック図である。この図において、ＣＰＵ１００は、この調律装置付電子楽器の各部を制御する装置である。キースイッチ回路１０１は、鍵盤ＫＢの各鍵に設けられたキースイッチを含む回路である。ＣＰＵ１００は、このキースイッチ回路１０１を介して、鍵盤ＫＢにおいて発生するキーオンイベント、キーオフイベントを検出する。操作子群１０２は、図１（ａ）に示す音色指定スイッチ３等、この調律装置付電子楽器の筐体２０に配備された各種の操作子の総体である。表示制御部１０３は、ＣＰＵ１００からの指令に従い、図１（ａ）におけるＬＣＤパネル２、図１（ｂ）における大型表示器１１およびＬＣＤパネル１４等、この調律装置付電子楽器の筐体２０に設けられた各種の表示装置の表示制御を行う装置である。
【００２０】
ＲＯＭ１１０は、ＣＰＵ１００がこの調律装置付電子楽器の各部の制御を行うために実行する各種のプログラムや制御に使用する各種の情報を記憶した読み出し専用メモリである。ＲＡＭ１２０は、ＣＰＵ１００によってワークエリアとして使用される。音源１３０は、ＣＰＵ１００による制御の下、各種の音色、音高を有する楽音信号を形成する装置である。この音源１３０は、楽音信号の形成を行う複数の楽音形成チャネルを有しており、これらにより同時に複数の楽音信号を形成することが可能である。サウンドシステム１３１は、音源１３０によって形成された楽音信号を楽音として、図１（ａ）に示すスピーカ１から放音する装置である。
【００２１】
ＲＯＭ１１０に記憶された情報として、ピッチ補正テーブル１１１と、音色パラメータデータベース１１２と、倍音構造データベース１１３がある。ピッチ補正テーブル１１１は、各種の音律と調の組み合わせについて、平均律における各キーコードに対応した各基音周波数（楽音の音高に対応した基音（第１倍音）の周波数）をその音律と調の組み合わせにおける基音周波数に補正するための補正量を定義したテーブルである。このピッチ補正テーブル１１１は、キーオンイベントが発生し、そのキーオンイベントに応じて形成すべき楽音信号の基音周波数を演算する際に、ＣＰＵ１００により参照される。さらに詳述すると、本実施形態においてＣＰＵ１００は、あるキーコードに対応した鍵のキーオンイベントを検出した場合に、その時点において設定されている基準ピッチに基づき、まず、平均律において押下鍵のキーコードに対応した基音周波数を演算する。また、ＣＰＵ１００は、調指定スイッチ８によりＣ、Ｃ＃、Ｄ、Ｄ＃、…、Ｂの特定の調が指定されている場合にはその調を、ＡＵＴＯが指定されている場合には発生している複数のキーオンイベントのキーコードの組み合わせに基づいて調を判定する。そして、現在設定されている音律が平均律でない場合には、ピッチ補正テーブル１１１の中から当該音律および調に対応した補正量のうち、シフト基準音指定スイッチ９により指定されたシフト基準音に対応した補正量と押下鍵のキーコードに対応した補正量を参照し、シフト基準音指定スイッチ９により指定されたシフト基準音に対応した補正量が±０セントになるように、押下鍵のキーコードに対応した補正量を補正し、この補正後の補正量を用いて平均律で求めた基音周波数をシフトさせ、形成すべき楽音信号の基音周波数を求めるのである。
【００２２】
音色パラメータデータベース１１２は、音色指定スイッチ３により指定可能な各音色について、音源１３０がその音色の楽音信号を形成するために必要とする音色パラメータを集めたデータベースである。倍音構造データベース１１３は、音色指定スイッチ３により指定可能な各音色について、その音色を持った楽音のスペクトルが如何なる倍音構造を有しているかを示す倍音構造データを集めたデータベースである。楽器によっては、楽音の倍音構造が音域により異なるものもある。そのような楽器の音色に関しては、各音域について各々における楽音の倍音構造を示す倍音構造データが倍音構造データベース１１３に格納される。倍音構造データベース１１３は、調律対象音の基準音に対するピッチ誤差を測定するための測定条件を決定するに当たって参照される。
【００２３】
本実施形態では、音高の異なった最大４個の基準音からなる和音をスピーカ１から放音し、これに応じて複数の調律対象楽器から出力される複数の調律対象音を同時にマイクロフォン１５により収音し、調律対象音毎に各々に対応した基準音とのピッチ誤差を求めることができる。測定部１５０は、この機能を実行するために設けられた装置である。この測定部１５０は、通過帯域の制御が可能な４個のＢＰＦ（バンドパスフィルタ）１５１−ｋ（ｋ＝１〜４）と、その後段の４個のピッチ誤差測定部１５２−ｋ（ｋ＝１〜４）とにより構成されている。
【００２４】
基準音の数がｍ個であり、これらに対応したｍ個の調律対象音がマイクロフォン１５により収音される場合、ＣＰＵ１００は、ＢＰＦ１５１−ｋ（ｋ＝１〜ｍ）とピッチ誤差測定部１５２−ｋ（ｋ＝１〜ｍ）を使用することにより、ｍ個の調律対象音のｍ個の基準音に対する各ピッチ誤差を各々測定し、ピッチ誤差を表示制御部１０３に引き渡して大型表示器１１に表示させる。
【００２５】
さらに詳述すると、ＣＰＵ１００は、ｍ個の基準音の各々について、基音周波数Ｆｆ−ｋと抽出対象周波数Ｆｔ−ｋとを求める。ここで、基音周波数Ｆｆ−ｋは、第ｋ基準音の発生を指示するために押鍵操作された鍵のキーコードと、その時点における音律および調と、ピッチ補正テーブルと、シフト基準音指定スイッチ９の状態と、基準ピッチとに基づき演算される。ＣＰＵ１００は、演算により求めたｍ個の基音周波数Ｆｆ−ｋ（ｋ＝１〜ｍ）をピッチ誤差測定部１５２−ｋ（ｋ＝１〜ｍ）に設定する。
【００２６】
抽出対象周波数Ｆｔ−ｋは、ＢＰＦ１５１−ｋに設定する通過帯域の中心周波数であり、第ｋ基準音の基音および倍音の周波数の中から選択される。ｍ個の基準音について選択される各抽出対象周波数Ｆｔ−ｋ（ｋ＝１〜ｍ）は、基準音の基音周波数Ｆｆ−ｋとなる場合もあるが、基準音の第２倍音、第３倍音などの倍音周波数となる場合もある。
【００２７】
ＣＰＵ１００は、ｍ個の基準音について抽出対象周波数Ｆｔ−ｋ（ｋ＝１〜ｍ）を選択するに当たり、倍音構造データベース１１３の中の各基準音（すなわち、各調律対象音）の音色に対応した倍音構造データを参照する。そして、周波数軸を共通にして各基準音の各スペクトルを並べた場合に、他の基準音のスペクトルとの区別が容易であり、かつ、その基準音に特有のスペクトルを、ｍ個の基準音の各々について選択し、それらの周波数を抽出対象周波数Ｆｔ−ｋ（ｋ＝１〜ｍ）とする。そして、抽出対象周波数Ｆｔ−ｋ（ｋ＝１〜ｍ）を各々中心とし、所定の周波数幅を持った通過帯域を求め、それらの通過帯域の下限周波数ＦＬ−ｋ（ｋ＝１〜ｍ）および上限周波数ＦＨ−ｋ（ｋ＝１〜ｍ）をＢＰＦ１５１−ｋ（ｋ＝１〜ｍ）に各々設定する。ここで、個々のＢＰＦ１５１−ｋに設定する通過帯域は、抽出対象周波数Ｆｔ−ｋの最近傍の周波数のスペクトルのみを通過させ、他のスペクトルを通過させないようにその幅が決定される。
【００２８】
ピッチ誤差測定部１５２−ｋ（ｋ＝１〜ｍ）の各々の処理内容は、抽出対象周波数Ｆｔ−ｋが基音周波数Ｆｆ−ｋであるか倍音周波数であるかにより異なったものとなる。抽出対象周波数Ｆｔ−ｋが基音周波数Ｆｆ−ｋである場合、ピッチ誤差測定部１５２−ｋは、ＢＰＦ１５１−ｋの出力信号の周波数を測定し、この周波数の基音周波数Ｆｆ−ｋに対するピッチ誤差（両周波数の比をセント値表現したもの）を求める。一方、抽出対象周波数Ｆｔ−ｋが基音周波数Ｆｆ−ｋではなく倍音周波数である場合、ピッチ誤差測定部１５２−ｋは、ＢＰＦ１５１−ｋの出力信号の周波数（この場合、倍音周波数）を測定し、この周波数から第ｋ基準音に対応して出力された調律対象音の基音周波数を求める。そして、この調律対象音の基音周波数の基音周波数Ｆｆ−ｋに対するピッチ誤差を求める。
【００２９】
本実施形態の１つの特徴は、このようなピッチ誤差の測定の態様にある。以下、本実施形態がこのような態様でピッチ誤差の測定を行う理由を説明する。
【００３０】
従来から提供されている多くの調律装置は、調律対象音の基音周波数を測定する機能を有している。このため、これらの調律装置では、調律対象音の基音周波数を測定し、これと基準音の基音周波数との差をピッチ誤差として求めるようにしている。
【００３１】
このようなピッチ誤差の測定方法は、１つの調律対象音を取り扱う場合には有効である。しかし、本実施形態のように複数の調律対象音が混ざり合って収音される状況では、各調律対象音の基音周波数を測定するのは以下説明するように一般的に困難である。
【００３２】
まず、各楽器の楽音は、必ずしも基音のスペクトルの強度が最大であるとは限らない。また、同一楽器の楽音であっても、その音域によりどの倍音の強度が高いかが異なる場合がある。さらに楽音の倍音構造は楽器により多様である。例えばフルートは、最低の数音を強奏する場合を除き、基音が最強の成分であり、平均的に周波数の高い倍音ほど勢力が小さい。また、オーボエ、ファゴットは、ホルマントにより一定の周波数帯域に強い倍音の集中がある。クラリネットは、楽器の構造が音響的に一端開放、一端閉塞の円筒閉管であるために、偶数次の共鳴を生じない。トランペットのスペクトルエンベロープは、大体２ｋＨｚ付近を頂点とするなだらかな山形で、基本音より倍音の強度が大きい（以上、非特許文献２参照）。
【００３３】
このような次第であるから、複数の調律対象音が混ざった状態でマイクロフォン１５により収音される状況では、マイクロフォン１５の出力信号のスペクトルの中から個々の調律対象音の基音のスペクトルを見つけ出すことは極めて困難であり、従って、各調律対象音のピッチ誤差を求めることも極めて困難なのである。
【００３４】
しかしながら、複数の調律対象音が如何なる楽器のものであるかが予め分かっているのであれば、各調律対象音について、マイクロフォン１５の出力信号のスペクトルの中から抽出することが容易な倍音のスペクトルを選択し、そのようなスペクトルのみをＢＰＦ−ｋ（ｋ＝１〜４）により選択し、ピッチ誤差測定に利用することができる。本実施形態におけるピッチ誤差の測定は、以上のような考えに基づくものである。
以上が本実施形態における調律装置付電子楽器の構成の詳細である。
【００３５】
次に本実施形態の動作について説明する。なお、以下では本実施形態において特徴的な調律モードでの動作を取り上げ、その詳細を明らかにする。図３は調律モードにおけるＣＰＵ１００の処理内容を示している。図３に示すように、ＣＰＵ１００は、音色設定処理２０１と、基準音設定処理２０２と、基音周波数演算処理２０３と、測定条件設定処理２０４と、測定結果表示処理２０５と、発音制御処理２０６を実行する。
【００３６】
音色設定処理２０１では、音色指定スイッチ３および基準音指定スイッチ５−ｋ（ｋ＝１〜４）の操作を監視する。和音を発生させて調律を行う場合、ユーザは、和音を構成する各基準音について、音色設定のための操作を行う。すなわち、ユーザが第ｋ基準音を指定する基準音指定スイッチ５−ｋをＯＮとし、これに続いて、所望の楽器に対応した音色指定スイッチ３をＯＮにすると、音色設定処理２０１では、ＯＮ状態にされた音色指定スイッチ３に割り当てられた音色コードを第ｋ基準音の音色コードＴＣ−ｋとして設定する。そして、ユーザは、音律指定スイッチ８の操作により所望の音律を設定する。
【００３７】
次にユーザが鍵盤ＫＢの押鍵操作を行うと、ＣＰＵ１００は、基準音設定処理２０２を実行し、ユーザが押鍵により指定するｍ個の基準音のキーコードＫＣ−ｋ（ｋ＝１〜ｍ）を求める。
【００３８】
図４はこの基準音設定処理２０２の動作を示す状態遷移図である。図４に示すように、基準音設定処理２０２は、内部状態として、第１基準音待ち状態ＳＴ０、第２基準音待ち状態ＳＴ１、第３基準音待ち状態ＳＴ２、第４基準音待ち状態ＳＴ３、測定指示待ち状態ＳＴ４および測定終了待ち状態ＳＴ５を有する。
【００３９】
初期状態において、基準音設定処理２０２は、第１基準音待ち状態ＳＴ０となっている。この第１基準音待ち状態ＳＴ０において、鍵盤ＫＢのキーオンイベントが検出されると、基準音設定処理２０２は、押下鍵のキーコードを第１基準音のキーコードＫＣ−１とし、内部状態を第２基準音待ち状態ＳＴ１に遷移させる（遷移ＴＲ０）。この第２基準音待ち状態ＳＴ１において、新たなキーオンイベントが検出され、そのときの押下鍵のキーコードがキーコードＫＣ−１以外の他のキーコードである場合、押下鍵のキーコードを第２基準音のキーコードＫＣ−２とし、内部状態を第３基準音待ち状態ＳＴ２に遷移させる（遷移ＴＲ１）。
【００４０】
以下同様であり、既に求められた基準音のキーコードとは異なるキーコードを持ったキーオンイベントが検出されると、内部状態は、第３基準音待ち状態ＳＴ２から第４基準音待ち状態ＳＴ３へ（遷移ＴＲ２）、第４基準音待ち状態ＳＴ４から測定指示待ち状態ＳＴ４へ（遷移ＴＲ３）、という具合に遷移し、その際に検出される押下鍵のキーコードに基づき第３基準音のキーコードＫＣ−３、第４基準音のキーコードＫＣ−４が設定される。
【００４１】
このように、基準音設定処理２０２の実行過程において各基準音のキーコードが決定されると、その都度、決定された基準音のキーコードが基音周波数演算処理２０３に引き渡される。そして、基音周波数演算処理２０３では、第ｋ基準音のキーコードＫＣ−ｋが基準音設定処理２０２から引き渡された場合に、図３に示すように、そのキーコードＫＣ−ｋと、その時点における音律および調３０１と、シフト基準音３０３と、ピッチ補正テーブル１１１と、基準ピッチ３０２とに基づき基音周波数Ｆｆ−ｋを演算する。このようにして第ｋ基準音の基音周波数Ｆｆ−ｋが得られると、基音周波数Ｆｆ−ｋは第ｋ基準音の音色コードＴＣ−ｋとともに発音制御処理２０６に引き渡される。発音制御処理２０６では、音色コードＴＣ−ｋに対応した音色パラメータを音色パラメータデータベース１１２から読み出し、基音周波数Ｆｆ−ｋを指定する情報と音色パラメータを音源１３０に与え、第ｋ基準音の楽音信号の形成およびその放音を行わせる。各基準音のキーコードが決定される都度、以上のような処理が行われ、押鍵操作に応じて、各基準音が指定された音色、音高で順次放音される。
【００４２】
なお、第２基準音待ち状態ＳＴ１、第３基準音待ち状態ＳＴ２および第４基準音待ち状態ＳＴ３において、測定指示が与えられることなく、他のキーオンイベントも検出されることなく所定時間が経過すると、内部状態は第１基準音待ち状態ＳＴ０に戻る（遷移ＴＲ１１、ＴＲ１２、ＴＲ１３）。また、測定指示待ち状態ＳＴ４において、測定指示が与えられることなく所定時間が経過した場合にも、内部状態は第１基準音待ち状態ＳＴ０に戻る（遷移ＴＲ１４）。これらの場合、それまでに設定した各基準音のキーコードは無効となる。
【００４３】
第２基準音待ち状態ＳＴ１において、第１基準音のキーコードＫＣ−１と同じキーコードのキーオンイベントが検出されると、それが測定指示となる。この場合、基準音設定処理２０２は、測定条件設定処理２０４に起動を指示し、測定終了待ち状態ＳＴ５となる（遷移ＴＲ２１）。
【００４４】
第３基準音待ち状態ＳＴ２、第４基準音待ち状態ＳＴ３および測定指示待ち状態ＳＴ４では、全ての鍵が押下されていないオールキーオフの状態となり、その後、いずれかの基準音と同一のキーコードのキーオンイベントを含む複数のキーオンイベントが同時に検出されると、その旨が基音周波数演算処理２０３に報告される。基音周波数演算処理２０３では、その時点において決定されているｍ個（２≦ｍ≦４）の基準音の基音周波数Ｆｆ−ｋ（ｋ＝１〜ｍ）と音色コードＴＣ−ｋ（ｋ＝１〜ｍ）を発音制御処理２０６に引き渡す。発音制御処理２０６では、ｍ個の基準音について、音色コードに対応して音色パラメータを取得し、音源１３０に各基準音の楽音信号の形成およびその放音を行わせる。このようにしてスピーカ１からｍ個の基準音からなる和音が放音される。その後、再びオールキーオフの状態になると、基準音設定処理２０２では、それが測定指示となる。この場合も、基準音設定処理２０２は、測定条件設定処理２０４に起動を指示し、測定終了待ち状態ＳＴ５となる（遷移ＴＲ２２、ＴＲ２３、ＴＲ２４）。
【００４５】
測定条件設定処理２０４が実行されると、基準音の個数ｍに応じて、測定部１５０のＢＰＦ１５１−ｋ（ｋ＝１〜ｍ）に対する通過帯域の設定およびピッチ誤差測定部１５２−ｋ（ｋ＝１〜ｍ）の設定が行われ、ｍ個の調律対象音のピッチ誤差の測定が行われる。そして、ピッチ誤差の測定が終了すると、基準音設定処理２０２の内部状態は第１基準音待ち状態ＳＴ０となる（遷移ＴＲ３０）。
【００４６】
図５（ａ）および（ｂ）は、以上のような処理により、基準音のキーコードが設定され、ピッチ誤差測定が開始されるまでの動作の具体例を示している。なお、図５（ａ）に示す例では、ユーザは押下した鍵から指を離してその後の鍵を押下しており、図５（ｂ）に示す例では、押下した鍵から指を離すことなく別の指でその後の鍵を押下しているが、いずれの操作を行った場合でも基準音設定処理２０２の状態遷移は同じものとなる。図５（ａ）および（ｂ）に示す例では、異なる３個の鍵が順次押下されることにより、基準音設定処理２０２の内部状態がＳＴ１→ＳＴ２→ＳＴ３と遷移し、その際に順次検出される押下鍵のキーコードが第１基準音のキーコードＫＣ−１、第２基準音のキーコードＫＣ−２、第３基準音のキーコードＫＣ−３とされる。そして、状態ＳＴ３において、オールオフ状態となった後、３個のキーオンイベントが発生し、その後、再びオールオフ状態となることにより測定指示が発生している。各調律対象楽器の演奏者は、この測定指示が発生するタイミング、すなわち、キーコードＫＣ−１、ＫＣ−２およびＫＣ−３の和音が鳴り止むタイミングにおいて一斉に各々の楽器から調律対象音を発生させる。これらの調律対象音は、マイクロフォン１５を介して測定部１５０に供給され、ピッチ誤差測定の対象となる。
【００４７】
測定条件設定処理２０４の処理内容は、基準音の個数ｍが１である場合と複数である場合とで異なったものとなる。ｍ＝１の場合、測定条件設定処理２０４では、第１基準音のキーコードＫＣ−１から得られた基音周波数Ｆｆ−１をピッチ誤差測定部１５２−１に設定する。また、測定条件設定処理２０４では、基音周波数Ｆｆ−１を抽出対象周波数Ｆｔ−１とし、これを中心周波数としてＢＰＦ１５１−１の通過帯域ＦＬ−１〜ＦＨ−１を設定する。
【００４８】
これに対し、ｍが複数である場合の測定条件設定処理２０４の処理内容は次のようになる。まず、ｍ個のキーコードＫＣ−ｋ（ｋ＝１〜ｍ）から得られた基音周波数Ｆｆ−ｋ（ｋ＝１〜ｍ）をピッチ誤差測定部１５２−ｋ（ｋ＝１〜ｍ）に設定する。次にｍ個の基準音の音色コードＴＣ−ｋ（ｋ＝１〜ｍ）に対応した倍音構造データを倍音構造データベース１１３から読み出す。そして、この倍音構造データを参照することにより、ｍ個の基準音について、他の基準音のスペクトルとの区別が容易であり、かつ、その基準音に特有のスペクトルを選択し、それらの周波数を抽出対象周波数Ｆｔ−ｋ（ｋ＝１〜ｍ）とする。そして、この抽出対象周波数Ｆｔ−ｋ（ｋ＝１〜ｍ）を各々中心周波数として、ＢＰＦ１５１−ｋ（ｋ＝１〜ｍ）の通過帯域を設定する。
【００４９】
抽出対象周波数Ｆｔ−ｋ（ｋ＝１〜ｍ）の選択方法としては、各基準音が有する各スペクトル毎に、隣接する他の基準音のスペクトルとの周波数差や当該スペクトルの強度に適当な重み係数を乗じて加算して、他の基準音のスペクトルとの区別の容易さを表わすコストを演算し、最もコストの高いスペクトルの周波数を抽出対象周波数として選択する方法が考えられる。好ましい態様では、より妥当な抽出対象周波数を選択するために、次のような基準を併用し、抽出対象周波数の選択範囲に絞り込みを掛ける。
ａ．複数の基準音（調律対象音）の中にフルート音が含まれている場合に、フルート音を優先し、フルートの基準音については基音周波数を抽出対象周波数とする。
ｂ．複数の基準音（調律対象音）の中にオーボエ音やファゴット音が含まれている場合、オーボエ音やファゴット音である基準音については、各々に特有の強い倍音が集中する帯域の倍音周波数を抽出対象周波数とする。
ｃ．複数の基準音（調律対象音）の中にクラリネット音が含まれている場合、クラリネット音でない基準音については、クラリネットが発生しない偶数次倍音に相当する帯域から抽出対象周波数を選択する。
ｄ．複数の基準音（調律対象音）の中にトランペット音が含まれている場合、トランペット音における２ｋＨｚ付近の最も強度の大きな倍音成分の周波数を抽出対象周波数とする。
【００５０】
測定条件設定処理２０４では、ＢＰＦ１５１−ｋ（ｋ＝１〜ｍ）の通過帯域の設定およびピッチ誤差測定部１５２−ｋ（ｋ＝１〜ｍ）の基音周波数の設定を行った後、同時に押鍵されていた複数の鍵が全てキーオフ状態になったときに、測定部１５０に測定指示を送る。測定指示の与えられた測定部１５０では、マイクロフォン１５の出力信号中のｍ個の調律対象音のピッチ誤差を求める処理がＢＰＦ１５１−ｋ（ｋ＝１〜ｍ）およびピッチ誤差測定部１５２−ｋ（ｋ＝１〜ｍ）により行われる。この結果得られるｍ個の調律対象音のピッチ誤差は、測定結果表示処理２０５に引き渡される。測定結果表示処理２０５は、このｍ個の調律対象音の音色コードＴＣ−ｋ（ｋ＝１〜ｍ）、キーコードＫＣ−ｋ（ｋ＝１〜ｍ）およびピッチ誤差を表示制御部１０３に引き渡し、各調律対象音の音色（すなわち、楽器の名称）、音名をＬＣＤ１４に、ピッチ誤差を大型表示器１１に表示させる。なお、調律対象音の個数ｍが４より少ない場合、表示制御部１０３は、定まっていない調律対象音の音色、音名の代わりに「−」等をＬＣＤ１４に表示させる。
【００５１】
各調律対象楽器の演奏者は、大型表示器１１の左横のＬＣＤパネル１４に表示された楽器の名称を確認し、その中から自分の演奏する楽器の名称を見つけ、また、演奏すべき音高の音名を確認する。そして、大型表示器１１において自分の演奏する楽器名の表示の右横にあるＬＥＤラインのＬＥＤ点灯位置から、自分の楽器の調律対象音のピッチが高低いずれの方向にどれだけずれているかを把握することができる。また、全調律対象音のピッチが例えば各々の基準音のピッチから全体に５セントだけ低い方にずれたときは、各ＬＥＤラインにおけるＬＥＤ点灯位置が縦一列に並ぶこととなり、良いハーモニーが得られていることが分かる。
【００５２】
以上説明したように、本実施形態によれば、調律対象音のピッチ誤差は、調律装置付電子楽器の筐体２０の背面１０の殆どを利用した大型表示器１１に表示されるので、調律対象楽器の演奏者は、自分の楽器の演奏音のピッチ誤差を容易かつ迅速に知ることができる。また、本実施形態によれば、和音の各構成音を調律対象音とし、各調律対象音の基準音に対するピッチ誤差が対比された状態で大型表示器１１に表示されるので、和音の各構成音を担当する各演奏者は、各構成音が良いハーモニー状態を作っているか否か、自分の担当している構成音のピッチが他の構成音のピッチとどのような関係になっているかを容易に確認することができる。また、本実施形態によれば、押鍵操作により調律の基準となる基準音を放音する際に、基準音の音色を設定することができる。従って、各調律対象楽器の音色を持った基準音からなる和音を調律対象楽器の演奏者に聴かせ、目標とするハーモニー状態を認識させることができる。また、本実施形態によれば、各調律対象音に対応した各種の音色の基準音の倍音構造の関係に基づいて、マイクロフォン１５の出力信号から抽出すべき各調律対象音の基音成分または倍音成分を選択し、その基音成分または倍音成分の周波数からピッチ誤差を求める。従って、複数の調律対象音の混ざり合った音がマイクロフォン１５により収音される状況においても、マイクロフォン１５の出力信号から各調律対象音の基音成分または倍音成分を適切に抽出し、各調律対象音のピッチ誤差を求めることができる。
【００５３】
以上、この発明の一実施形態について説明したが、この発明にはこれ以外にも他の実施形態が考えられる。例えば次の通りである。
（１）図６に示すように、大型表示器１１、ＬＣＤパネル１４およびマイクロフォン１５を一体化して背面ユニット１０Ａを構成し、この背面ユニット１０Ａをヒンジなどにより調律装置付電子楽器の筐体２０の背面に回動自在に取り付けてもよい。この態様は、調律装置付電子楽器の筐体２０の向きを変えなくても、背面ユニット１０Ａの向きを調律対象楽器の演奏者の位置に合わせて適切に調節することができるという利点がある。
（２）図７に示すように、背面ユニット１０Ａを調律装置付電子楽器の背面に対して着脱自在としてもよい。この場合、背面ユニット１０Ａと調律装置付電子楽器の筐体２０とをケーブル１６により接続し、このケーブル１６を介して電源を背面ユニット１０Ａに供給し、かつ、筐体２０内の関連装置と背面ユニット１０Ａとの間の信号の授受を行うように構成する。この態様も、調律装置付電子楽器の向きとは無関係に、調律対象楽器の演奏者のいる適切な方向へ背面ユニット１０Ａを向かせることができるという利点がある。
（３）上記実施形態では、複数の基準音を順次発生してから、それらの基準音からなる和音を発生する際に、各基準音を指定された音色で発生するようにしたが、和音を発生するときのみ各基準音を指定された音色で発生し、基準音を順次発生するときには固定された音色（例えばオルガン音）で各基準音を発生するようにしてもよい。この場合、和音を構成するｍ個の基準音の鍵が同時に押鍵されたときに、ｍ個の押下鍵に対応した各キーコードを音高の低いものからキーコードＫＣ−ｋ（ｋ＝１〜ｍ）とし、それらに音色コードＴＣ−ｋ（ｋ＝１〜ｍ）を対応付けて各基準音の発音制御および各基準音に対応した調律対象音のピッチ誤差測定を行えばよい。この態様は、演算処理が簡単であるという利点がある。
（４）上記実施形態では、調律対象音と同じ音色の基準音を発生したが、調律モードにおいて基準音指定スイッチ５−ｋ（ｋ＝１〜４）および音色指定スイッチ３は調律対象音の音色の指定のみに利用し、基準音は調律対象音とは無関係に所定の音色のものを発生するようにしてもよい。
【図面の簡単な説明】
【００５４】
【図１】この発明の一実施形態である調律装置付電子楽器の上面の構成を示す平面図および背面の構成を示す背面図である。
【図２】同調律装置付電子楽器の電気的構成を示すブロック図である。
【図３】同調律装置付電子楽器のＣＰＵの調律モードにおける処理内容を示す図である。
【図４】同調律装置付電子楽器のＣＰＵが実行する基準音設定処理の動作を示す状態遷移図である。
【図５】同実施形態における基準音に対応したキーコードの設定動作の具体例を示す図である。
【図６】この発明の他の実施形態である調律装置付電子楽器の構成を示す斜視図である。
【図７】この発明の他の実施形態である調律装置付電子楽器の構成を示す斜視図である。
【符号の説明】
【００５５】
１……スピーカ、ＫＢ……鍵盤、２、１４……ＬＣＤパネル、３……音色指定スイッチ、４……モード切り換えスイッチ、５−ｋ（ｋ＝１〜４）……基準音指定スイッチ、５−ｕ，５−ｄ……カーソル、６……基準ピッチ指定スイッチ、７……音律指定スイッチ、８……音律指定スイッチ、９……シフト基準音指定スイッチ、２０……筐体、１０……筐体の背面、１２……ＬＥＤ、１３ａ，１３ｂ……マーカ、１５……マイクロフォン、１０１……キースイッチ回路、１０２……操作子群、１１０……ＲＯＭ、１２０……ＲＡＭ、１３０……音源、１３１……サウンドシステム、１０３……表示制御部、１００……ＣＰＵ、１５０……測定部。
【図１】
2007193156.tif 000003
【図２】
2007193156.tif 000004
【図３】
2007193156.tif 000005
【図４】
2007193156.tif 000006
【図５】
2007193156.tif 000007
【図６】
2007193156.tif 000008
【図７】
2007193156.tif 000009